(57)【要約】【課題】移動局の受信能力を有効に利用しつつ、制御負荷を回避することを可能とする通信システム及び通信方法等を提供する。【解決手段】本発明は、移動局５０に対してマルチキャストデータを送信する通信システムであって、マルチキャストデータの受信に必要な移動局の受信能力をカテゴリ分けするカテゴリ管理部１１と、マルチキャストグループに属する複数の移動局の受信能力を収集する受信能力収集部３３と、収集した複数の移動局の受信能力が対応するカテゴリの組み合わせに応じてマルチキャストデータの階層化構造を決定する階層化構造決定部３４と、決定された階層化構造でマルチキャストデータを送信する送信部３１とを具備することを要旨とする。【選択図】      図３
2004193676.tif 000002
【特許請求の範囲】
【請求項１】
移動局に対してマルチキャストデータを送信する通信システムであって、
前記マルチキャストデータの受信に必要な移動局の受信能力をカテゴリ分けするカテゴリ管理部と、
マルチキャストグループに属する複数の移動局の受信能力を収集する受信能力収集部と、
収集した前記複数の移動局の受信能力が対応するカテゴリの組み合わせに応じて、前記マルチキャストデータの階層化構造を決定する階層化構造決定部と、
決定された前記階層化構造で、前記マルチキャストデータを送信する送信部とを具備することを特徴とする通信システム。
【請求項２】
移動局に対してマルチキャストデータを送信する通信システムであって、
前記マルチキャストデータの種類と該マルチキャストデータの受信に必要な移動局の受信能力とを関連付けてカテゴリ分けするカテゴリ管理部と、
前記カテゴリの組み合わせに応じて、前記マルチキャストデータの階層化構造を決定する階層化構造決定部と、
決定された前記階層化構造で、前記マルチキャストデータを送信する送信部とを具備することを特徴とする通信システム。
【請求項３】
マルチキャストグループに属する複数の移動局の受信能力を収集する受信能力収集部と、
収集した前記複数の移動局の受信能力に応じて、前記カテゴリに係る情報を含む報知情報を送信する報知情報送信部とを具備することを特徴とする請求項２に記載の通信システム。
【請求項４】
前記カテゴリ管理部は、前記受信能力収集部によって収集された前記複数の移動局の受信能力を取得し、前記マルチキャストデータの種類と取得した受信能力とを関連付けてカテゴリ分けすることを特徴とする請求項３に記載の通信システム。
【請求項５】
前記受信能力収集部によって収集された前記複数の移動局の受信能力または前記移動局の在圏情報に基づいて前記報知情報の送信の要否を判定し、前記報知情報送信部に対して前記報知情報の送信を指示する報知情報判定部を具備することを特徴とする請求項３に記載の通信システム。
【請求項６】
前記送信部は、前記移動局から送信された送信要求に応じて前記マルチキャストデータを前記移動局に対して送信することを特徴とする請求項１乃至５のいずれか一項に記載の通信システム。
【請求項７】
前記移動局の受信能力は、復調方式、受信バッファサイズ、演算処理能力、復号化方式、インターリーブ長、逆拡散器の個数、復号器の個数の少なくとも一つであることを特徴とする請求項１乃至６のいずれか一項に記載の通信システム。
【請求項８】
前記階層化構造は、符号化率、繰り返しビット数、間引きビット数、インターリーブ長、多重コード数、情報ブロック数、変調方式、符号化方式、送信電力の少なくとも一つによって構成されることを特徴とする請求項１乃至７のいずれか一項に記載の通信システム。
【請求項９】
移動局に対してマルチキャストデータを送信する通信方法であって、
前記マルチキャストデータの受信に必要な移動局の受信能力をカテゴリ分けする工程と、
マルチキャストグループに属する複数の移動局の受信能力を収集する工程と、収集した前記複数の移動局の受信能力が対応するカテゴリの組み合わせに応じて、前記マルチキャストデータの階層化構造を決定する工程と、
決定された前記階層化構造で、前記マルチキャストデータを送信する工程とを有することを特徴とする通信方法。
【請求項１０】
移動局に対してマルチキャストデータを送信する通信方法であって、
前記マルチキャストデータの種類と該マルチキャストデータの受信に必要な移動局の受信能力と関連付けてカテゴリ分けする工程と、
前記カテゴリの組み合わせに応じて、前記マルチキャストデータの階層化構造を決定する工程と、
決定された前記階層化構造で、前記マルチキャストデータを送信する工程とを有することを特徴とする通信方法。
【請求項１１】
マルチキャストグループに属する複数の移動局の受信能力を収集する工程と、
収集した前記複数の移動局の受信能力に応じて、前記カテゴリに係る情報を含む報知情報を送信する工程とを有することを特徴とする請求項１０に記載の通信方法。
【請求項１２】
前記カテゴリ分けする工程では、前記複数の移動局の受信能力を収集する工程によって収集された前記複数の移動局の受信能力を取得し、前記マルチキャストデータの種類と取得した受信能力とを関連付けてカテゴリ分けすることを特徴とする請求項１１に記載の通信方法。
【請求項１３】
前記複数の移動局の受信能力を収集する工程によって収集された前記複数の移動局の受信能力または前記移動局の在圏情報に基づいて前記報知情報の送信の要否を判定し、前記報知情報を送信することを特徴とする請求項１１に記載の通信方法。
【請求項１４】
前記マルチキャストデータを送信する工程では、前記移動局から送信された送信要求に応じて前記マルチキャストデータを前記移動局に対して送信することを特徴とする請求項９乃至１３のいずれか一項に記載の通信方法。
【請求項１５】
前記移動局の受信能力は、復調方式、受信バッファサイズ、演算処理能力、復号化方式、インターリーブ長、逆拡散器の個数、復号器の個数の少なくとも一つであることを特徴とする請求項９乃至１４のいずれか一項に記載の通信方法。
【請求項１６】
前記階層化構造は、符号化率、繰り返しビット数、間引きビット数、インターリーブ長、多重コード数、情報ブロック数、変調方式、符号化方式、送信電力の少なくとも一つによって構成されることを特徴とする請求項９乃至１５のいずれか一項に記載の通信方法。
【請求項１７】
マルチキャストデータを受信する移動局であって、
自身の受信能力が属するカテゴリを記憶するカテゴリ記憶部と、
階層化されたマルチキャストデータを受信する受信部と、
前記階層化されたマルチキャストデータの中から、前記カテゴリ記憶部に記憶されているカテゴリに対応するマルチキャストデータを選択する選択部とを具備することを特徴とする移動局。
【請求項１８】
前記カテゴリ記憶部は、無線局から受信した報知情報に応じて更新されることを特徴とする請求項１７に記載の移動局。
【請求項１９】
無線局に対して、前記マルチキャストデータの送信要求を送信する送信要求部を具備することを特徴とする請求項１７または１８に記載の移動局。
【発明の詳細な説明】
【０００１】
【発明の属する技術分野】
本発明は、移動局に対してマルチキャストデータを送信する通信システム、通信方法及び移動局に関する。
【０００２】
【従来の技術】
従来、基地局が、当該基地局によってカバーされる無線エリア内に存在する全ての移動局に対して共通な情報を一斉に送信するブロードキャスト（Ｂｒｏａｄｃａｓｔ）通信を行う通信システムが知られている（例えば、非特許文献１参照）。
【０００３】
また、基地局が、複数の移動局をグループ（マルチキャストグループ）に分け、同一グループに属する移動局に対して共通な情報を送信するマルチキャスト（Ｍｕｌｔｉｃａｓｔ）通信を行う通信システムが知られている（例えば、非特許文献２参照）。
【０００４】
また、従来のマルチキャスト通信システムでは、マルチキャストデータを複数の階層に階層化し、階層化されたマルチキャストデータを送信する方式が知られている（例えば、非特許文献３，４参照）。
【０００５】
また、同一のマルチキャストグループに属する移動局が、異なる受信能力を有する場合、移動局の受信能力を収集し、特定の受信能力を有する移動局に着目してマルチキャストデータの階層化構造を決定する方式が知られている（例えば、特許文献１乃至３参照）。
【０００６】
【非特許文献１】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｔｅｒｍｉｎａｌｓ著、２３．０４１  Ｔｅｃｈｎｉｃａｌ  ｒｅａｌｉｚａｔｉｏｎ  ｏｆＣｅｌｌ  Ｂｒｏａｄｃａｓｔ  Ｓｅｒｖｉｃｅ（ＣＢＳ）、２０００年１０月
【０００７】
【非特許文献２】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ著、２６．３２４  Ｂｒｏａｄｃａｓｔ／Ｍｕｌｔｉｃａｓｔ  Ｃｏｎｔｒｏｌ  ＢＭＣ、２０００年１２月
【０００８】
【非特許文献３】
ＭＢＭＳ−００００３３  Ｓｃａｌａｂｌｅ  ＭＢＭＳ（ｓｌｉｄｅｓ）  Ｓａｍｓｕｎｇ著、３ｒｄ  Ｇｅｎｅｒａｔｉｏｎ  Ｐａｒｔｎｅｒｓｈｉｐ  Ｐｒｏｊｅｃｔ  ＭＢＭＳ  Ｗｏｒｋｓｈｏｐ、２００２年５月
【０００９】
【非特許文献４】
３ＧＰＰ  ＴＳＧ・ＲＡＮ、Ｒ２−０２２１１０  ＭＢＭＳ  ｐｏｗｅｒ  ｕｓａｇｅ、Ｌｕｃｅｎｔ  ｔｅｃｈｎｏｌｏｇｙ著、２００２年８月
【００１０】
【特許文献１】
特願２００２−２９１５７１号
【００１１】
【特許文献２】
特願２００２−２９１５７２号
【００１２】
【特許文献３】
特願２００２−３２１８３６号
【００１３】
【発明が解決しようとする課題】
しかしながら、従来の通信システムでは、同一マルチキャストグループ内に異なる受信能力を有する移動局が存在する場合で、かつ、特定の受信能力を有する移動局に着目してマルチキャストデータの階層化構造を決定した場合、マルチキャストグループに属する全ての移動局が当該マルチキャストデータを受信するためには、最低の受信能力を有する移動局に着目してマルチキャストデータの階層化構造を決定しなければならないため、移動局の受信能力が有効に利用されないという問題点があった。
【００１４】
また、従来の通信システムでは、マルチキャストデータを受信するのに必要な最低の受信能力を有していない移動局でも、マルチキャストデータの送信要求を送信してしまうため、無駄な制御負荷が生じるという問題点があった。
【００１５】
そこで、本発明は、以上の点に鑑みてなされたもので、移動局の受信能力を有効に利用しつつ、制御負荷を回避することを可能とする通信システム、通信方法及び移動局を提供することを目的とする。
【００１６】
【課題を解決するための手段】
本発明の第１の特徴は、移動局に対してマルチキャストデータを送信する通信システムであって、前記マルチキャストデータの受信に必要な移動局の受信能力をカテゴリ分けするカテゴリ管理部と、マルチキャストグループに属する複数の移動局の受信能力を収集する受信能力収集部と、収集した前記複数の移動局の受信能力が対応するカテゴリの組み合わせに応じて、前記マルチキャストデータの階層化構造を決定する階層化構造決定部と、決定された前記階層化構造で、前記マルチキャストデータを送信する送信部とを具備することを要旨とする。
【００１７】
かかる発明によれば、送信部が、収集した複数の移動局の受信能力が対応するカテゴリの組み合わせに応じて決定された階層化構造でマルチキャストデータを送信するため、移動局の受信能力を有効に利用したマルチキャスト通信を行うことができる。
【００１８】
本発明の第２の特徴は、移動局に対してマルチキャストデータを送信する通信システムであって、前記マルチキャストデータの種類と該マルチキャストデータの受信に必要な移動局の受信能力と関連付けてカテゴリ分けするカテゴリ管理部と、前記カテゴリの組み合わせに応じて、前記マルチキャストデータの階層化構造を決定する階層化構造決定部と、決定された前記階層化構造で、前記マルチキャストデータを送信する送信部とを具備することを要旨とする。
【００１９】
かかる発明によれば、送信部が、カテゴリ管理部によって管理されているカテゴリの組み合わせに応じて決定された階層化構造でマルチキャストデータを送信するため、移動局の受信能力を有効に利用したマルチキャスト通信を行うことができる。
【００２０】
本発明の第２の特徴において、マルチキャストグループに属する複数の移動局の受信能力を収集する受信能力収集部と、収集した前記複数の移動局の受信能力に応じて、前記カテゴリに係る情報を含む報知情報を送信する報知情報送信部とを具備することが好ましい。
【００２１】
かかる発明によれば、報知情報送信部が、カテゴリに係る情報を含む報知情報を送信するため、マルチキャストデータを受信するのに必要な最低の受信能力を有していない移動局が、マルチキャストデータの送信要求を送信するという不具合を回避することができる。
【００２２】
本発明の第２の特徴において、前記カテゴリ管理部が、前記受信能力収集部によって収集された前記複数の移動局の受信能力を取得し、前記マルチキャストデータの種類と取得した受信能力とを関連付けてカテゴリ分けすることが好ましい。
【００２３】
かかる特徴によれば、前記カテゴリ管理部が、在圏している移動局の受信能力の情報を取得するため、マルチキャストデータが提供できるエリアに在圏している移動局の受信能力に応じて、マルチキャストデータの種類と移動局の受信能力とを関連付けて適宜カテゴリ分けすることができる。
【００２４】
本発明の第２の特徴において、前記受信能力収集部によって収集された前記複数の移動局の受信能力または前記移動局の在圏情報に基づいて前記報知情報の送信の要否を判定し、前記報知情報送信部に対して前記報知情報の送信を指示する報知情報判定部を具備することが好ましい。
【００２５】
上述の発明において、前記送信部が、前記移動局から送信された送信要求に応じて前記マルチキャストデータを前記移動局に対して送信することが好ましい。
【００２６】
かかる特徴によれば、移動局の在圏情報に基づいて報知情報の送信の要否が判定され、また、移動局からの送信要求に応じてマルチキャストデータを送信するため、無用なトラフィックを抑制し、通信システムにおける処理負荷を軽減することができる。
【００２７】
また、上述の発明において、前記移動局の受信能力が、復調方式、受信バッファサイズ、演算処理能力、復号化方式、インターリーブ長、逆拡散器の個数、復号器の個数の少なくとも一つであることが好ましい。
【００２８】
また、上述の発明において、前記階層化構造が、符号化率、繰り返しビット数、間引きビット数、インターリーブ長、多重コード数、情報ブロック数、変調方式、符号化方式、送信電力の少なくとも一つによって構成されることが好ましい。
【００２９】
本発明の第３の特徴は、移動局に対してマルチキャストデータを送信する通信方法であって、前記マルチキャストデータの受信に必要な移動局の受信能力をカテゴリ分けする工程と、マルチキャストグループに属する複数の移動局の受信能力を収集する工程と、収集した前記複数の移動局の受信能力が対応するカテゴリの組み合わせに応じて、前記マルチキャストデータの階層化構造を決定する工程と、決定された前記階層化構造で、前記マルチキャストデータを送信する工程とを有することを要旨とする。
【００３０】
本発明の第４の特徴は、移動局に対してマルチキャストデータを送信する通信方法であって、前記マルチキャストデータの種類と該マルチキャストデータの受信に必要な移動局の受信能力と関連付けてカテゴリ分けする工程と、前記カテゴリの組み合わせに応じて、前記マルチキャストデータの階層化構造を決定する工程と、決定された前記階層化構造で、前記マルチキャストデータを送信する工程とを有することを要旨とする。
【００３１】
本発明の第４の特徴において、マルチキャストグループに属する複数の移動局の受信能力を収集する工程と、収集した前記複数の移動局の受信能力に応じて、前記カテゴリに係る情報を含む報知情報を送信する工程とを有することが好ましい。
【００３２】
本発明の第４の特徴において、前記カテゴリ分けする工程では、前記複数の移動局の受信能力を収集する工程によって収集された前記複数の移動局の受信能力を取得し、前記マルチキャストデータの種類と取得した受信能力とを関連付けてカテゴリ分けすることが好ましい。
【００３３】
本発明の第４の特徴において、前記複数の移動局の受信能力を収集する工程によって収集された前記複数の移動局の受信能力または前記移動局の在圏情報に基づいて前記報知情報の送信の要否を判定し、前記報知情報を送信することが好ましい。
【００３４】
上述の発明において、前記マルチキャストデータを送信する工程では、前記移動局から送信された送信要求に応じて前記マルチキャストデータを前記移動局に対して送信することが好ましい。
【００３５】
また、上述の発明において、前記移動局の受信能力が、復調方式、受信バッファサイズ、演算処理能力、復号化方式、インターリーブ長、逆拡散器の個数、復号器の個数の少なくとも一つであることが好ましい。
【００３６】
また、上述の発明において、前記階層化構造が、符号化率、繰り返しビット数、間引きビット数、インターリーブ長、多重コード数、情報ブロック数、変調方式、符号化方式、送信電力の少なくとも一つによって構成されることが好ましい。
【００３７】
本発明の第５の特徴は、マルチキャストデータを受信する移動局であって、自身の受信能力が属するカテゴリを記憶するカテゴリ記憶部と、階層化されたマルチキャストデータを受信する受信部と、前記階層化されたマルチキャストデータの中から、前記カテゴリ記憶部に記憶されているカテゴリに対応するマルチキャストデータを選択する選択部とを具備することを要旨とする。
【００３８】
本発明の第５の特徴において、前記カテゴリ記憶部が、無線局から受信した報知情報に応じて更新されることが好ましい。
【００３９】
本発明の第５の特徴において、前記移動局が、無線局に対して、前記マルチキャストデータの送信要求を送信する送信要求部を具備することが好ましい。
【００４０】
【発明の実施の形態】
（本発明の一実施形態に係る通信システムの構成）
本発明の一実施形態に係る通信システムの構成について、図１乃至図５を参照しながら説明する。
【００４１】
図１に示すように、本実施形態に係る通信システムは、交換装置１０と無線局２０とによって構成されている。無線局２０は、無線制御装置２５と基地局３０とによって構成されている。基地局３０は、セル１内に在圏している複数の移動局５０ａ乃至５０ｃを管理している。また、交換装置１０は、サービスプロバイダ２と接続されている。
【００４２】
なお、本実施形態において、交換装置１０と無線局２０とを別個独立の装置としているが、これらの機能を具備する一体の装置を設けてもよい。
【００４３】
サービスプロバイダ２は、マルチキャストデータを提供するものである。
【００４４】
交換装置１０は、図１に示すように、カテゴリ分類部１１と在圏記憶部１２とを具備するものであり、サービスプロバイダ２から送信されたマルチキャストデータを無線局２０に転送するものである。
【００４５】
カテゴリ分類部１１は、マルチキャストデータの受信に必要な移動局の受信能力をカテゴリ分けするものである。
【００４６】
例えば、カテゴリ分類部１１は、図２に示すように、「カテゴリ名」と「受信バッファサイズ」と「インターリーブ長」と「（復調可能な）変調方式」とを関連付けて記憶する。
【００４７】
図２の例では、「受信バッファサイズ」が「１ＭＢ未満」で、「インターリーブ長」が「１０ｍｓ」で、「変調方式」として「ＱＰＳＫ」を採用している移動局が、「カテゴリ１」のマルチキャストデータを受信することができる。
【００４８】
同様に、「受信バッファサイズ」が「１ＭＢ以上５ＭＢ未満」で、「インターリーブ長」が「１０ｍｓ、２０ｍｓ又は４０ｍｓ」で、「変調方式」として「ＱＰＳＫ」を採用している移動局が、「カテゴリ２」のマルチキャストデータを受信することができる。
【００４９】
また、「受信バッファサイズ」が「５ＭＢ以上」で、「インターリーブ長」が「１０ｍｓ、２０ｍｓ、４０ｍｓ又は８０ｍｓ」で、「変調方式」として「ＱＰＳＫ又は１６ＱＡＭ」を採用している移動局が、「カテゴリ３」のマルチキャストデータを受信することができる。
【００５０】
なお、マルチキャストデータの受信に必要な移動局の受信能力として、受信バッファサイズとインターリーブ長と変調方式以外に、例えば、演算処理能力や、復号可能な符号化方式や、逆拡散器の個数や、復号器の個数等を用いることができる。
【００５１】
また、カテゴリ分類部１１は、固有のパラメータに従って上述のカテゴリを管理してもよいし、定期的に変更される準静的なパラメータに従って上述のカテゴリを管理してもよいし、サービスプロバイダ２からの指示やセル１内に存在する移動局５０の受信能力等によって上述のカテゴリの管理を柔軟に変更してもよい。
【００５２】
在圏記憶部１２は、セル１内に存在する移動局５０の在圏情報を記憶するものである。
【００５３】
なお、カテゴリ分類部１１や在圏記憶部１２は、無線局２０に設けられていてもよい。
【００５４】
無線局２０は、図３に示すように、無線送受信部３１と、データ受信部３２と、受信能力収集部３３と、階層化構造決定部３４とを具備している。なお、図３では、各部３１乃至３４は、基地局３０に設けられているが、これらの一部又は全てが、無線制御装置２５に設けられていてもよい。
【００５５】
無線送受信部３１は、階層化構造決定部３４によって決定された階層化構造でマルチキャストデータを送信する送信部である。また、無線送受信部３１は、移動局５０から送信された無線信号を受信する。また、無線送受信部３１は、無線局２０からの指示に応じて、移動局５０の受信能力を送信する。
【００５６】
データ受信部３２は、無線制御装置２５から送信されるマルチキャストデータを受信する。また、データ受信部３２は、階層化構造決定部３４によって決定された階層化構造によって送信すべきマルチキャストデータを構成する。
【００５７】
受信能力収集部３３は、セル１内のマルチキャストグループに属する複数の移動局５０の受信能力（又は、カテゴリ）を収集する。
【００５８】
階層化構造決定部３４は、受信能力収集部３３によって収集した複数の移動局の受信能力が対応するカテゴリの組み合わせにより、マルチキャストデータの階層化構造を決定する。
【００５９】
例えば、階層化構造決定部３４は、マルチキャストグループ内に「カテゴリ１」と「カテゴリ２」の移動局５０が存在した場合、マルチキャストデータの階層化構造を、「カテゴリ１」の受信能力に対応する伝送方式及び「カテゴリ２」の受信能力に対応する伝送方式による階層化構造と決定する。すなわち、かかる場合、階層化構造決定部３４は、「カテゴリ１」の受信能力に対応する伝送方式及び「カテゴリ２」の受信能力に対応する伝送方式で、マルチキャストデータを送信する。
【００６０】
ここで、階層化構造は、符号化率、繰り返しビット数、間引きビット数、インターリーブ長、多重コード数、情報ブロック数、変調方式、符号化方式、送信電力の少なくとも一つによって構成される。
【００６１】
移動局５０は、図４に示すように、記憶部５１と、送受信部５２と、選択部５３とを具備している。
【００６２】
記憶部５１は、当該移動局５０の受信能力が属するカテゴリ（例えば、「カテゴリ１」乃至「カテゴリ３」）を記憶するカテゴリ記憶部である。
【００６３】
送受信部５２は、基地局３０との間で無線信号の送受信を行うものである。本実施形態において、送受信部５２は、階層化されたマルチキャストデータを受信する受信部を構成する。また、本実施形態において、送受信部５２は、無線局２０に対して、マルチキャストデータの送信要求を送信する送信要求部を構成する。
【００６４】
選択部５３は、送受信部５２によって受信された階層化されたマルチキャストデータの中から、受信可能なマルチキャストデータを選択するものである。
【００６５】
例えば、選択部５３は、送受信部５２によって受信された階層化されたマルチキャストデータの中から、記憶部５１に記憶されているカテゴリに対応するマルチキャストデータを選択するように構成されていてもよい。
【００６６】
（本発明の一実施形態に係る通信システムの動作）
本実施形態に係る通信システムの動作を、図５を参照にして説明する。図５は、本実施形態に係る通信システムの動作を示すシーケンス図である。
【００６７】
図５に示すように、ステップ６０１において、サービスプロバイダ２が、マルチキャストデータを交換装置１０に送信し、ステップ６０２において、交換装置１０が、受信したマルチキャストデータを無線局２０に送信する。
【００６８】
ステップ６０３において、無線局２０（基地局３０）の受信能力収集部３３は、セル１内のマルチキャストグループに属する移動局５０の受信能力を収集する。ここで、無線局２０の受信能力収集部３３は、定期的に、マルチキャストグループに属する移動局５０についての在圏情報を、交換装置１０の在圏記憶部１２から受信している。
【００６９】
ステップ６０４において、階層化構造決定部３４が、受信能力収集部３３によって収集した複数の移動局の受信能力が対応するカテゴリの組み合わせにより、マルチキャストデータの階層化構造を決定する。ここで、階層化構造決定部３４は、交換装置１０のカテゴリ分類部１１から、定期的に、カテゴリに係る情報を受信している。
【００７０】
そして、データ受信部３２が、決定された階層化構造にしたがって交換装置１０からのマルチキャストデータを構成する。
【００７１】
ステップ６０５において、無線送受信部３１が、上述の階層化構造に従って構成されたマルチキャストデータを、セル１内のマルチキャストグループに属する移動局５０に対して送信する。
【００７２】
ステップ６０６において、移動局５０の送受信部５２が、階層化されたマルチキャストデータを受信し、移動局５０の選択部５３が、移動局５０で受信可能なマルチキャストデータを選択して受信する。
【００７３】
（本実施形態に係る通信システムの作用・効果）
本実施形態に通信システムによれば、無線送受部３１が、収集した複数の移動局５０の受信能力（受信バッファサイズやインターリーブ長や変調方式等）が対応するカテゴリの組み合わせに応じて決定された階層化構造でマルチキャストデータを送信するため、移動局の受信能力を有効に利用したマルチキャスト通信を行うことができる。
【００７４】
（変更例）
本発明は、上述の実施形態に限定されるものではなく、以下の変更例のような構成の場合であっても適用可能である。以下、図６乃至図８を参照して、本変更例に係る通信システムについて説明する。
【００７５】
本変更例に係る無線局２０は、図６に示すように、無線送受信部３１と、データ送受信部３２と、受信能力収集部３３と、報知情報判定部３５とを具備している。
【００７６】
無線送受信部３１は、移動局５０との間で、無線信号の送受信を行うものである。データ受信部３２によって構成されたマルチキャストデータを、マルチキャストグループに属する移動局５０に送信する送信部である。
【００７７】
また、無線送受信部３１は、カテゴリに係る情報を含む報知情報を送信する報知情報送信部である。具体的には、無線送受信部３１は、セル１内に存在するマルチキャストデータを示すリストと、各マルチキャストデータに関連つけられたカテゴリとを含む報知情報を移動局５０に送信する。また、本実施形態に係る無線送受信部３１は、移動局５０からマルチキャストデータの送信要求を取得し、取得した送信要求に応じてマルチキャストデータを移動局５０に対して送信することができる。
【００７８】
データ受信部３２は、交換装置１０から無線制御装置２５を介して送信されるマルチキャストデータやカテゴリに係る情報を受信するものである。
【００７９】
また、データ受信部３２は、カテゴリ分類部１１によって管理されているカテゴリの組み合わせに応じて、マルチキャストデータの階層化構造を決定する階層化構造決定部である。すなわち、データ受信部３２は、カテゴリ分類部１１からのカテゴリに係る情報に基づいて、全てのカテゴリに対応する伝送方式でマルチキャストデータを送信するように、受信したマルチキャストデータの階層化を行う。
【００８０】
受信能力収集部３３は、マルチキャストグループに属する複数の移動局の受信能力（カテゴリ）を収集するものである。
【００８１】
報知情報判定部３５は、受信能力収集部３３により収集された移動局の受信能力（カテゴリ）または移動局がマルチキャストデータを提供できるエリアに在圏しているか否かを認識する在圏情報に基づいて、報知情報の送信の要否を判定し、無線送受信部３１に対して報知情報の送信を指示するものである。
【００８２】
例えば、報知情報判定部３５は、セル１内に存在するマルチキャストデータを受信可能な移動局５０が１台でも存在する場合に、報知情報を送信するように構成されていてもよい。
【００８３】
また、例えば、報知情報判定部３５は、図３及び図７に示すテーブルによって、セル１内に存在するマルチキャストデータを示すリストと、各マルチキャストデータに関連つけられたカテゴリとを含む報知情報を管理している。
【００８４】
図７の例では、セル１内に存在する６種類のマルチキャストデータＡ乃至Ｆについてのリストが管理されている。ここで、「マルチキャストデータＡ、Ｄ」を受信するには「カテゴリ１」の受信能力が必要であり、「マルチキャストデータＢ、Ｃ、Ｅ」を受信するには「カテゴリ２」の受信能力が必要であり、「マルチキャストデータＦ」を受信するには、「カテゴリ３」の受信能力が必要である旨が定義されている。
【００８５】
本変更例に係る通信システムの動作を、図８を参照にして説明する。図８は、本変更例に係る通信システムの動作を示すシーケンス図である。
【００８６】
図８に示すように、ステップ８０１において、サービスプロバイダ２が、マルチキャストデータを交換装置１０に送信し、ステップ６０２において、交換装置１０が、受信したマルチキャストデータを無線局２０に送信する。
【００８７】
ステップ８０３において、無線局２０の無線送受信部３１が、報知情報判定部３５から報知情報を送信する旨の指示を受けた場合、カテゴリに係る情報を含む報知情報を移動局５０に送信する。
【００８８】
ステップ８０４において、移動局５０の送受信部５２が、マルチキャストデータの送信要求を無線局２０に対して送信する。
【００８９】
ステップ８０５において、無線局２０の無線送受信部３１が、移動局５０によって送信された送信要求に基づいて、データ受信部３２によって構成された階層化されたマルチキャストデータを、セル１内のマルチキャストグループに属する移動局５０に送信する。
【００９０】
ここで、データ受信部３２は、カテゴリ分類部１１によって管理されている全てのカテゴリを含む階層化構造で、すなわち全てのカテゴリに対応する伝送方式で送信するように、マルチキャストデータを構成する。
【００９１】
ステップ８０６において、移動局５０の選択部５３が、受信した階層化されたマルチキャストデータの中から、記憶部５１に記憶されているカテゴリに対応するマルチキャストデータを選択する。
【００９２】
ここで、移動局５０の記憶部５１は、無線局２０から受信した報知情報に応じて更新される。
【００９３】
本変更例に係る通信システムによれば、無線送受信部３１が、カテゴリ分類部１１によって管理されているカテゴリの組み合わせに応じて決定された階層化構造でマルチキャストデータを送信するため、移動局の受信能力を有効に利用したマルチキャスト通信を行うことができる。
【００９４】
本変更例に係る通信システムによれば、無線送受信部３１が、移動局５０からの送信要求を取得した場合にマルチキャストデータを移動局５０に対して送信し、また、移動局５０の在圏状況に応じて報知情報を送信するため、無用なトラフィックを抑制することにより、無線局２０等における処理負荷を軽減することができる。
【００９５】
なお、上述した移動局５０からの送信要求に応じて、無線送受信部３１がマルチキャストデータを送信する形態に代えて、無線送受信部３１が常時、定期的にマルチキャストデータを送信する形態としてもよい。この場合、移動局５０からの送信要求を取得する必要がないため、無線局２０及び移動局５０の構成を簡素化できるとともに、移動局５０から無線局２０に対する無用なトラフィックの発生を防止することができる。
【００９６】
また、本変更例に係る通信システムによれば、無線送受信部３１が、カテゴリに係る情報を含む報知情報を送信するため、マルチキャストデータを受信するのに必要な最低の受信能力を有していない移動局５０が、マルチキャストデータの送信要求を送信するという不具合を回避することができる。
【００９７】
【発明の効果】
以上説明したように、本発明によれば、移動局の受信能力を有効に利用しつつ、制御負荷を回避することを可能とする通信システム、通信方法及び移動局を提供することができる。
【図面の簡単な説明】
【図１】本発明の一実施形態に係る通信システムの全体構成図である。
【図２】本発明の一実施形態に係る通信システムのカテゴリについて説明するための図である。
【図３】本発明の一実施形態に係る通信システムの無線局の機能ブロック図である。
【図４】本発明の一実施形態に係る通信システムの移動局の機能ブロック図である。
【図５】本発明の一実施形態に係る通信システムの動作を示すシーケンス図である。
【図６】本発明の一変更例に係る通信システムの無線局の機能ブロック図である。
【図７】本発明の一変更例に係る通信システムにおける報知情報について説明するための図である。
【図８】本発明の一変更例に係る通信システムの動作を示すフローチャート図である。
【符号の説明】
１…セル
２…サービスプロバイダ
１０…交換装置
１１…カテゴリ分類部
１２…在圏記憶部
２０…無線局
２５…無線制御装置
３０…基地局
３１…無線送受信部
３２…データ受信部
３３…受信能力収集部
３４…階層化構造決定部
３５…報知情報判定部
５０…移動局
５１…記憶部
５２…送受信部
５３…選択部
【図１】
2004193676.tif 000003
【図２】
2004193676.tif 000004
【図３】
2004193676.tif 000005
【図４】
2004193676.tif 000006
【図５】
2004193676.tif 000007
【図６】
2004193676.tif 000008
【図７】
2004193676.tif 000009
【図８】
2004193676.tif 000010